(57)【特許請求の範囲】
【請求項１】
出発地から目的地までの誘導経路を探索するナビゲーション装置の誘導経路探索方法において、
前記出発地から前記目的地までの第１の経路を探索し、前記第１の経路内の複数の交差点を表示装置にリスト形式で表示し、ユーザによりそれらの交差点のうちからユーザ所望の交差点が選択され、その交差点からの進行方向が指定されると、
前記ユーザ所望の交差点から前記進行方向に進み前記目的地に至る第２の経路を探索し、前記第１の経路のうち前記出発地から前記ユーザ所望の交差点までの経路と結合して誘導経路とすることを特徴とするナビゲーション装置の誘導経路探索方法。
【請求項２】
前記表示装置に、前記ユーザが選択した交差点の拡大図を表示し、ユーザが前記拡大図を見ながら前記進行方向を指定できることを特徴とする請求項１に記載のナビゲーション装置の誘導経路探索方法。
【請求項３】
前記進行方向を、前記表示装置の画面上に取り付けられたタッチパネルを介して指定できることを特徴とする請求項２に記載のナビゲーション装置の誘導経路探索方法。
【請求項４】
音声認識により、前記ユーザ所望の交差点及び進行方向を指定できることを特徴とする請求項１に記載のナビゲーション装置の誘導経路探索方法。
【請求項５】
出発地から目的地までの誘導経路を探索するナビゲーション装置において、
前記出発地から前記目的地までの第１の経路を探索する制御部と、
前記制御部により探索された前記第１の経路内の複数の交差点をリスト形式で表示する表示装置と、
前記第１の経路内の交差点のうちユーザ所望の交差点を選択し、その交差点からの進行方向を指定することを可能とする入力部とを備え、
前記制御部は前記ユーザ所望の交差点から前記進行方向に進み前記目的地に至る第２の経路を探索し、前記第１の経路のうち前記出発地から前記ユーザ所望の交差点までの経路と結合して誘導経路とすることを特徴とするナビゲーション装置。
【請求項６】
前記制御部は前記表示装置に、前記ユーザが選択した交差点の拡大図を表示し、ユーザが前記拡大図を見ながら前記入力部により前記進行方向を指定することを可能としたことを特徴とする請求項５に記載のナビゲーション装置。
【請求項７】
前記入力部が、前記表示装置の画面上に取り付けられたタッチパネルであることを特徴とする請求項６に記載のナビゲーション装置。
【請求項８】
前記入力部は音声認識により、前記ユーザ所望の交差点及び進行方向を指定できるものであることを特徴とする請求項５に記載のナビゲーション装置。
【発明の詳細な説明】
【０００１】
【発明の属する技術分野】
本発明は、出発地から目的地までの適切な誘導経路を探索する誘導経路探索方法及びナビゲーション装置に関し、特にユーザの好みに合う誘導経路を探索する誘導経路探索方法及びナビゲーション装置に関する。
【０００２】
【従来の技術】
車載用ナビゲーション装置は、地図データを記録したＤＶＤ（Digital Versatile Disk）−ＲＯＭ等の地図データ記憶装置と、表示装置と、ジャイロ、ＧＰＳ（Global Positioning System ）受信機及び車速センサ等の車両の現在位置及び現在方位を検出する車両位置検出装置等を有している。そして、車両の現在位置を含む地図データを地図データ記憶装置から読み出し、該地図データに基づいて車両位置の周囲の地図画像を描画すると共に、車両位置マーク（ロケーション）を地図画像に重ね合わせて表示し、車両の移動に応じて地図画像をスクロール表示したり、地図画像を画面に固定し車両位置マークを移動させたりして、車両が現在どこを走行しているのかを一目で判るようにしている。
【０００３】
また、通常、車載用ナビゲーション装置には、ユーザが所望の目的地に向けて道路を間違うことなく容易に走行できるようにした経路誘導機能が搭載されている。この経路誘導機能によれば、地図データを用いて出発地から目的地までを結ぶ最もコストが低い経路を横型探索法又はダイクストラ法等のシミュレーション計算を行って自動探索し、その探索した経路を誘導経路として記憶しておき、走行中、地図画像上に誘導経路を他の道路とは色を変えて太く描画して画面表示したり、車両が誘導経路上の進路を変更すべき交差点に一定距離内に近づいたときに、地図画像上の進路を変更すべき交差点に進路を示す矢印を描画して画面表示したりすることで、ユーザを目的地まで案内する。
【０００４】
なお、コストとは、距離を基に、道路幅員、道路種別（一般道か高速道かなど）、右折及び左折等に応じた定数を乗じた値や車両の走行予測時間などであり、誘導経路としての適正の程度を数値化したものである。距離が同一の２つの経路があったとしても、ユーザが例えば有料道路を使用するか否か、距離を優先するか時間を優先するかなどを指定することによりコストは異なったものとなる。
【０００５】
【発明が解決しようとする課題】
しかしながら、車載用ナビゲーション装置により自動的に探索された誘導経路が、ユーザの好みに合わないことがある。例えば、誘導経路内に、通行車両が多く混雑が予想される道路や景色がよくない道路が含まれる場合、又はユーザが走り慣れている道路が他にある場合などである。このような場合、従来のナビゲーション装置では、経由地（通過点）を設定し、経由地を通る誘導経路を探索することで、ある程度対応することができる。しかし、経由地を設定しても、ユーザの期待した道路を通って経由地に至る道路が探索されるとは限らず、ユーザの好みの経路とならないことも多い。
【０００６】
一度に複数の誘導経路を探索してユーザに提示し、これらの誘導経路のうちからユーザの好みに合う誘導経路を選択するようにしたナビゲーション装置もあるが、探索された複数の誘導経路にユーザの好みに合う経路があるとは限らない。
【０００７】
また、従来から、ユーザが通りたくない道路（Avoid Street）を指定できるようにしたナビゲーション装置もある。この場合も、ユーザに指定された道路を避けて誘導経路を探索するものの、探索された経路がユーザの好みに合うとは限らない。
【０００８】
本発明の目的は、ユーザの好みに合う道路を通って目的地に至る誘導経路を探索する誘導経路探索方法及びナビゲーション装置を提供することである。
【０００９】
【課題を解決するための手段】
本発明のナビゲーション装置の誘導経路探索方法は、出発地から目的地までの第１の経路を探索し、前記第１の経路内の複数の交差点を表示装置にリスト形式で表示し、ユーザによりそれらの交差点のうちからユーザ所望の交差点が選択され、その交差点からの進行方向が指定されると、前記ユーザ所望の交差点から前記進行方向に進み前記目的地に至る第２の経路を探索し、前記第１の経路のうち前記出発地から前記ユーザ所望の交差点までの経路と結合して誘導経路とすることを特徴とする。
【００１０】
また、本発明のナビゲーション装置は、出発地から前記目的地までの第１の経路を探索する制御部と、前記制御部により探索された前記第１の経路内の複数の交差点をリスト形式で表示する表示装置と、前記第１の経路内の交差点のうちユーザ所望の交差点を選択し、その交差点からの進行方向を指定することを可能とする入力部とを備え、前記制御部は前記ユーザ所望の交差点から前記進行方向に進み前記目的地に至る第２の経路を探索し、前記第１の経路のうち前記出発地から前記ユーザ所望の交差点までの経路と結合して誘導経路とすることを特徴とする。
【００１１】
ナビゲーション装置により探索された誘導経路がユーザの好みに合わない理由の一つに、交差点でユーザが思う方向に進む経路とならないことが挙げられる。例えば、好みの経路となるようにユーザが交差点（経由地）を指定して誘導経路の探索を行っても、ナビゲーション装置が自動的に探索した経路では、指定された交差点を通るものの、その交差点からユーザの希望する方向に進む経路になるとは限らない。
【００１２】
そこで、本発明においては、ユーザにより交差点とその交差点からの進行方向とが指定されると、指定された交差点から指定された方向に進む道路のリンクコストを低く設定して、出発地から目的地までの誘導経路を探索する。これにより、指定された交差点を指定された方向に進む経路が探索され、ユーザの好みに合う誘導経路が得られる。
【００１３】
また、出発地から目的地までの誘導経路（第１の経路）を探索した後、この誘導経路内の交差点のうちの特定の交差点と当該交差点からの進行方向とを指定できるようにして、誘導経路を再探索してもよい。この場合、当該交差点から指定された方向に進み目的地に至る第２の経路を探索し、第１の経路のうち出発地から当該交差点までの経路と結合することにより、出発地から指定された交差点を指定された方向に進み目的地に至る誘導経路が得られる。
【００１４】
【発明の実施の形態】
以下、本発明の実施の形態について、添付の図面を参照して説明する。
【００１５】
図１は本発明の実施の形態の誘導経路探索方法を実現する車載用ナビゲーション装置の構成を示すブロック図である。
【００１６】
１は地図データを記憶したＤＶＤ−ＲＯＭである。地図データは、1/12500 、1/25000 、1/50000 及び1/100000等の縮尺レベルに応じて適当な大きさの経度幅及び緯度幅に区切られており、道路等は経度及び緯度で表現された頂点（ノード）の座標集合として記憶されている。また、道路は２以上のノードの連結により表現され、２つのノードを連結した部分はリンクといわれる。
【００１７】
なお、ＤＶＤ−ＲＯＭ１には、上記の地図データの他にも、多数の施設をカテゴリー（ショッピングストア、ガソリンスタンド及び観光地等のような分類）毎に分類して、施設毎の位置データ及びその他のデータを記録した施設データベースが収録されている。
【００１８】
３は後述するナビゲーション装置本体１０を操作するための操作部である。本実施の形態では、操作部３に、図２に示すようなリモコン送信器３０と、該リモコン送信器３０からの信号を受信する受信機とが含まれる。リモコン送信器３０には、ジョイスティック３１と、「決定（Enter ）」ボタン３２、「メニュー」ボタン３３及び「戻る（Cancel）」ボタン３４等が設けられている。
【００１９】
また、操作部３にはタッチパネルを含んでいてもよい。タッチパネルは後述する表示装置７の画面上に取り付けられ、ユーザが画面に触れるとその位置に応じた信号を出力する。
【００２０】
４は音声による操作を可能とするための音声入力用マイクである。このマイク４は、運転席乗員の声をよく収音できる場所に取り付けられる。５はＧＰＳ衛星から送られてくるＧＰＳ信号を受信して車両の現在位置の経度及び緯度を検出するＧＰＳ受信機である。６は自立航法センサであり、この自立航法センサ６は、車両回転角度を検出するジャイロ等の角度センサ６ａと、一定の走行距離毎にパルスを発生する走行距離センサ６ｂとにより構成されている。
【００２１】
７は液晶パネル等の表示装置であり、ナビゲーション装置本体１０は、この表示装置７に車両の現在位置の周囲の地図を表示したり、種々の案内情報を表示する。８は音声によりユーザに案内情報を提供するためのスピーカーである。
【００２２】
ナビゲーション装置本体１０は以下のものから構成されている。１１はＤＶＤ−ＲＯＭ１から読み出された地図データを一時的に記憶するバッファメモリである。１３は操作部３と接続されるインターフェース、１５はＧＰＳ受信機５と接続されるインターフェース、１６は自立航法センサ６に接続されるインターフェースである。
【００２３】
１４は音声認識部であり、マイク４から出力された音声信号を音声認識処理して、その結果に応じたコマンドを出力する。
【００２４】
１７はマイクロコンピュータにより構成される制御部である。制御部１７は、インターフェース１５，１６から入力される情報を基に車両の現在位置を検出したり、ＤＶＤ−ＲＯＭ１から所定の地図データをバッファメモリ１１に読み出したり、バッファメモリ１１に読み出された地図データを用いて設定された探索条件で誘導経路を探索するなど、種々の処理を実行する。
【００２５】
１８はバッファメモリ１１に読み出された地図データを用いて地図画像を生成する地図描画部、１９は動作状況に応じた各種メニュー画面（操作画面）や車両位置マーク及びポインター等の各種マークを生成する操作画面・マーク発生部である。
【００２６】
２０は制御部１７で探索した誘導経路を記憶する誘導経路記憶部、２１は誘導経路を描画する誘導経路描画部である。誘導経路記憶部２０には、制御部１７によって探索された誘導経路の全ノードが出発地から目的地まで記録される。誘導経路描画部２１は、例えば地図を表示する際に、誘導経路記憶部２０から誘導経路情報（ノード列）を読み出して、誘導経路を他の道路とは異なる色及び線幅で描画する。
【００２７】
２２は音声出力部であり、制御部１７からの信号に基づいて音声信号をスピーカー８に供給する。
【００２８】
２４は画像合成部であり、例えば地図描画部１８で描画された地図画像に、操作画面・マーク発生部１９で生成した各種マークや操作画面、誘導経路描画部２１で描画した誘導経路などを重ね合わせて表示装置７に表示する。
【００２９】
このように構成されたナビゲーション装置において、制御部１７は、ＧＰＳ受信機５で受信したＧＰＳ信号と、自立航法センサ６から入力した信号とから車両の現在位置を検出する。そして、ＤＶＤ−ＲＯＭ１から車両の現在位置の周囲の地図データを読み出してバッファメモリ１１に格納する。地図描画部１８は、制御部１７からの信号に応じてバッファメモリ１１に読み出された地図データから地図画像を生成し、表示装置７に表示する。
【００３０】
また、制御部１７は、車両の移動に伴ってＧＰＳ受信機５及び自立航法センサ６から入力した信号により車両の現在位置を検出し、その検出結果に応じて適宜、表示装置７に案内情報を表示したり、音声による案内情報をスピーカー８から出力する。
【００３１】
以下、本実施の形態のナビゲーション装置の誘導経路探索方法について説明する。
【００３２】
ユーザが目的地を指定すると、制御部１７は車両の現在位置を出発地とし、出発地から目的地までの最もコストが低い経路を探索し、誘導経路（第１の経路）とする。この場合に、ユーザは経由地（通過点）を指定し、経由地を通る経路を探索するようにしてもよい。目的地又は経由地を指定する方法としては、ジョイスティック３１を操作して表示装置７に表示された地図上の一点をポインターで指定する方法や、ＤＶＤ−ＲＯＭ１内の施設データベースを使用して所望の施設を指定する方法などがある。
【００３３】
制御部１７は、探索された誘導経路を誘導経路記憶部２０に記憶するとともに、図３に示すように表示装置７にリスト形式で表示する。この図３に示す例では、出発地から目的地までの間の右左折すべき交差点（ストリート）を、目的地（DEL AND FASHION CENTER）まで順番に表示し、更に各交差点での車両の進行方向（右折か、左折か）を矢印で表示している。
【００３４】
ここで、ユーザがリモコン送信器３０のジョイステック３１を上下方向に動かすと、それに応じて交差点が順次選択される。図４に示すように、選択された交差点の名称は反転表示される。また、選択された交差点の形状と車両の進行方向（右折又は左折）を示す矢印とが画面右側に表示される。交差点の数が多い場合は、ジョイスティック３１を上下方向に動かすことにより交差点リストがスクロールする。これにより、出発地から目的地までの間の任意の交差点を選択することができる。
【００３５】
ユーザが所望の交差点を選択して「決定」ボタン３２を押すと、進行方向選択モードとなる。この進行方向選択モードでは、車両の進行方向を示す矢印の向きが、ジョイスティック３１を動かす方向に応じて変化する。例えば、ジョイスティック３１を上に動かすと、図５に示すように交差点拡大図中の矢印が直進する方向に変更され、ジョイスティック３１を右に動かすと右折する方向に矢印の向きが変更される。ここでは、図５に示すように、交差点を直進するように矢印の向きを変更した後、再び「決定」ボタン３２を押したものとする。これにより、ユーザが当該交差点を直進するように指定したことになる。
【００３６】
なお、「決定」ボタン３２の替りに「戻る」ボタン３４を押すと、図３に示すような誘導経路探索後の画面に戻る。また、交通規制等によりユーザが指定した方向に進行することが禁止されている場合はその旨を表示し、禁止されている方向を選択することができないようになっている。
【００３７】
このようにして、交差点とその交差点からの進行方向とが指定されると、制御部１７は指定された交差点から指定された方向に進む道路のリンクコストを低く設定し、横型探索法又はダイクストラ法等のシミュレーション計算を行って、当該交差点から目的地までの誘導経路（第２の経路）を探索する。そして、この誘導経路を、最初に探索した誘導経路（第１の経路）のうち出発地から当該交差点までの経路と結合することにより、出発地から目的地までの新たな誘導経路を得る。
【００３８】
このようにして、ユーザの好みに合う誘導経路を得ることができる。なお、再探索して得た誘導経路内に更にユーザの好みに合わない部分がある場合は、再度交差点とその交差点における進行方向を指定すればよい。このようにして、ユーザの好みに合う誘導経路とすることができる。
【００３９】
本実施の形態のおいては、ユーザが指定した交差点を指定した方向に進むように誘導経路を探索するので、ユーザの好みに合う誘導経路が探索される。これにより、ユーザは、通りたくない道路に案内されることなく、目的地まで快適にドライブをすることができる。
【００４０】
（変形例）
図４に示すように交差点の拡大図を表示するときに、図６に示すように、その交差点で分岐される全てのストリート名（又は、方面表示）を吹き出し（words balloon ）４１で表示するようにしてもよい。この場合に、表示装置７の画面上にタッチパネルを取り付け、ストリート名が表示されている吹き出し４１を指で押すことによって進行方向を指定できるようにしてもよい。
【００４１】
また、図７に示すように、交差点の近傍に進行方向を示す矢印のアイコン４２を表示してもよい。この場合も、表示装置７の画面上にタッチパネルを取り付け、アイコン４２が表示されている部分を指で押すことによって進行方向を指定できるようにしてもよい。
【００４２】
更に、音声により交差点と進行方向とを指定できるようにしてもよい。例えば、図３に示すように目的地までの交差点がリスト表示されている画面が表示されている状態で、ユーザが、「Ｗ１９０ｔｈ  ストリートを直進」と発声すると、ナビゲーション装置は音声認識によりユーザの指示を認識し、図５に示すような画面を表示する。ここで、例えばユーザが「ＯＫ」と発声すると、当該交差点から目的地までの誘導経路を探索し、車両の現在位置から当該交差点までの誘導経路と結合する。
【００４３】
この場合に、音声認識部１４では、音声認識用辞書の範囲を表示装置７にリスト表示されている交差点名等と進行方向を示す言葉（左折、右折、直進等）に限定することができるので、音声認識が容易であり、誤認識のおそれが少ない。
【００４４】
更にまた、上記の実施の形態では、出発地から目的地までの誘導経路（第１の経路）を探索し、探索された誘導経路内に含まれる交差点と当該交差点から進む方向とを指定する場合について説明したが、最初にユーザが通過を希望する交差点と当該交差点から進む方向とを指定し、出発地から当該交差点を通って目的地に至る誘導経路を探索するようにしてもよい。すなわち、ユーザが経由地として交差点を指定すると、ナビゲーション装置は当該交差点の拡大図を表示し、上記の実施の形態と同様の方法で進行方向を指定できるようにする。この場合に、複数の交差点を指定できるようにしてもよい。ナビゲーション装置では、指定された交差点を指定された方向に進む道路のリンクコストを低く設定し、指定された交差点を指定された方向に進んで目的地に至る誘導経路を探索する。
【００４５】
【発明の効果】
以上説明したように、本発明の誘導経路探索方法によれば、ユーザが交差点とその交差点から進む方向とを指定すると、ナビゲーション装置は指定された交差点を通って指定された方向に進み目的地に至る誘導経路を探索するので、ユーザの好みに合う誘導経路が得られる。これにより、ユーザは通りたくない道路に案内されることなく、快適にドライブをすることができる。
【図面の簡単な説明】
【図１】図１は、本発明の実施の形態の誘導経路探索方法を実現する車載用ナビゲーション装置の構成を示すブロック図である。
【図２】図２は、同じくそのナビゲーション装置のリモコン送信器を示す平面図である。
【図３】図３は、誘導経路（第１の経路）を探索した後の画面表示例を示す図である。
【図４】図４は、誘導経路内の特定の交差点を選択した状態の画面表示の一例を示す図である。
【図５】図５は、進行方向選択モードにおける画面表示の一例を示す図である。
【図６】図６は、本発明の実施の形態の変形例を示す図であり、交差点で分岐される全てのストリート名を吹き出しで表示した状態を示す図である。
【図７】図７は、本発明の実施の形態の他の変形例を示す図であり、交差点から進む方向をアイコンで表示した状態を示す図である。
【符号の説明】
１…ＤＶＤ−ＲＯＭ、
３…操作部、
４…マイク、
５…ＧＰＳ受信機、
６…自立航法センサ、
７…表示装置、
８…スピーカー、
１０…ナビゲーション装置本体、
１１…バッファメモリ、
１３，１５，１６…インターフェース、
１４…音声認識部、
１７…制御部、
１８…地図描画部、
１９…操作画面・マイク発声部、
２０…誘導経路記憶部、
２１…誘導経路描画部、
２２…音声出力部、
２４…画像合成部、
３０…リモコン送信器、
３１…ジョイスティック。
【図１】
0003907994.tif 000002
【図２】
0003907994.tif 000003
【図３】
0003907994.tif 000004
【図４】
0003907994.tif 000005
【図５】
0003907994.tif 000006
【図６】
0003907994.tif 000007
【図７】
0003907994.tif 000008